(57)【要約】【課題】灰皿と小物入れとを交換する手間が掛かることなく灰皿と小物入れとを併用できる灰皿・小物入れ併用装置を提供する。【解決手段】自動車内装品に使用し、灰皿２と小物入れ４とを併用できる灰皿・小物入れ併用装置９であって、灰皿２と小物入れ４を一体とし、灰皿・小物入れ一体物７を形成し、前記灰皿・小物入れ一体物７が自動車の前後で移動可能である灰皿・小物入れ併用装置９である。【選択図】図４
2006015782.tif 000002
【特許請求の範囲】
【請求項１】
自動車内装品に使用し、灰皿と小物入れとを併用できる灰皿・小物入れ併用装置であって、灰皿と小物入れを一体とし、灰皿・小物入れ一体物を形成し、前記灰皿・小物入れ一体物が自動車の前後で移動可能であることを特徴とする灰皿・小物入れ併用装置。
【請求項２】
前記一体となった灰皿と小物入れが移動手段によって自動車の前後方向に移動し、一方を使用するときは他方が塞がれ隠れる請求項１に記載の灰皿・小物入れ併用装置。
【請求項３】
前記移動手段がレールとレールガイドである請求項２に記載の灰皿・小物入れ併用装置。
【請求項４】
自動車のコンソールボックス内に収納する灰皿と小物入れであって、灰皿と小物入れを自動車の前後方向で連結し一体とし、灰皿・小物入れ一体物を形成し、前記灰皿・小物入れ一体物にはレールが設置され、コンソールボックス内側に設置したレールガイドによって、灰皿・小物入れ一体物が自動車前後に移動自在とし、前記灰皿又は小物入れのうち使用すべき一方を使用状態に置くことができ、他方をコンソールボックス内に隠すことを特徴とする灰皿・小物入れ併用装置。
【請求項５】
前記灰皿がコンソールボックス内に隠れた場合に灰皿上方に消煙・消火プレートを設置した請求項４に記載の灰皿・小物入れ併用装置。
【発明の詳細な説明】
【技術分野】
【０００１】
本発明は、自動車内装品内で使用する灰皿及び小物入れに係る。
【背景技術】
【０００２】
従来、自動車用小物入れトレイとして、特許文献１に記載があるように、小物トレイと灰皿とを交換自在に装着して、自動車用灰皿を使用しないトレイを自動車用灰皿と交換して自動車用灰皿と交換して自動車用灰皿収納部に収納し、小物入れとして使用していた。
【０００３】
【特許文献１】実開平５−１８９７７号公報
【０００４】
しかし、従来の自動車用小物入れトレイでは、小物入れと灰皿を交換する手間が掛かっていた。
【発明の開示】
【発明が解決しようとする課題】
【０００５】
本発明は、灰皿と小物入れとを交換する手間が掛かることなく灰皿と小物入れとを併用できる灰皿・小物入れ併用装置を提供するものである。
【課題を解決するための手段】
【０００６】
本発明は、自動車内装品に使用し、灰皿と小物入れとを併用できる灰皿・小物入れ併用装置であって、灰皿と小物入れを一体とし、灰皿・小物入れ一体物を形成し、前記灰皿・小物入れ一体物が自動車の前後で移動可能である灰皿・小物入れ併用装置にある。
【０００７】
請求項２に記載の発明は、前記一体となった灰皿と小物入れが移動手段によって自動車の前後方向に移動し、一方を使用するときは他方が塞がれ隠れる請求項１に記載の灰皿・小物入れ併用装置にある。
【０００８】
請求項３に記載の発明は、前記移動手段がレールとレールガイドである請求項２に記載の灰皿・小物入れ併用装置にある。
【０００９】
請求項４に記載の発明は、自動車のコンソールボックス内に収納する灰皿と小物入れであって、灰皿と小物入れを自動車の前後方向で連結し一体とし、灰皿・小物入れ一体物を形成し、前記灰皿・小物入れ一体物にはレールが設置され、コンソールボックス内側に設置したレールガイドによって、灰皿・小物入れ一体物が自動車前後に移動自在とし、前記灰皿又は小物入れのうち使用すべき一方を使用状態に置くことができ、他方をコンソールボックス内に隠す灰皿・小物入れ併用装置にある。
【００１０】
請求項５に記載の発明は、前記灰皿がコンソールボックス内に隠れた場合に灰皿上方に消煙・消火プレートを設置した請求項４に記載の灰皿・小物入れ併用装置にある。
【発明の効果】
【００１１】
本発明によると、自動車内装品に使用し、灰皿と小物入れとを併用できる灰皿・小物入れ併用装置であって、灰皿と小物入れを一体とし、灰皿・小物入れ一体物を形成し、前記灰皿・小物入れ一体物が自動車の前後で移動可能である灰皿・小物入れ併用装置であることから、灰皿と小物入れを一体化することにより、コンパクトにできるという効果がある。
【００１２】
請求項２に記載の発明は、前記一体となった灰皿と小物入れが移動手段によって自動車の前後方向に移動し、一方を使用するときは他方が塞がれ隠れる請求項１に記載の灰皿・小物入れ併用装置であることから、一方を使用すると他方が隠れるので、外見上も見栄えが良いという効果がある。
【００１３】
請求項３に記載の発明は、前記移動手段がレールとレールガイドである請求項２に記載の灰皿・小物入れ併用装置であることから、簡単にかつ確実に灰皿と小物入れとを入れ替えることができるという効果がある。
【００１４】
請求項４に記載の発明は、自動車のコンソールボックス内に収納する灰皿と小物入れであって、灰皿と小物入れを自動車の前後方向で連結し一体とし、灰皿・小物入れ一体物を形成し、前記灰皿・小物入れ一体物にはレールが設置され、コンソールボックス内側に設置したレールガイドによって、灰皿・小物入れ一体物が自動車前後に移動自在とし、前記灰皿又は小物入れのうち使用すべき一方を使用状態に置くことができ、他方をコンソールボックス内に隠す灰皿・小物入れ併用装置であるので、灰皿と小物入れをコンパクト化でき、外観上も見栄えが良くなり、簡単な構成で灰皿と小物入れとを一体化することができ、さらに灰皿と小物入れとを簡単にかつ確実に入れ替えることができるという効果がある。
【００１５】
請求項５に記載の発明は、前記灰皿がコンソールボックス内に隠れた場合に灰皿上方に消煙・消火プレートを設置した請求項４に記載の灰皿・小物入れ併用装置であることから、灰皿を使用後、コンソールボックス内に収納した場合にタバコの煙を消煙することができ、自動車内の悪臭を低減できるという効果がある。
【発明を実施するための最良の形態】
【００１６】
本発明の灰皿・小物入れ併用装置を図面に基づいて説明する。自動車用内装品に使用される灰皿と小物入れについて説明する。一実施形態として、コンソールボックス内で使用される灰皿・小物入れ併用装置について説明する。図１に示すコンソールボックス１の空間内に図２の灰皿２と小物入れ４を一体化し、該灰皿２と小物入れ４の側面にレール５を設置した灰皿・小物入れ一体物７を図３に示す灰皿・小物入れ併用装置９の本体３内に格納する。そして、灰皿・小物入れ一体物７を格納した灰皿・小物入れ併用装置９の本体３をコンソールボックス１の空間内に入れる。
【００１７】
このとき、灰皿・小物入れ併用装置本体３は、灰皿・小物入れ一体物７の一方のみ収納できるスペースがあれば良い。灰皿・小物入れ併用装置本体３から外れた灰皿２又は小物入れ４は、コンソールボックス１内の空間に収まる。
従って、灰皿２が本体３内に収納されたときは、コンソールボックス１内に小物入れ４を入れるスペースが、小物入れ４が本体３内に収納されたときはコンソールボックス１内であって、前記小物入れ４を入れるスペースとは反対側に灰皿２を収納するスペースが設けられている。
【００１８】
図４には、本発明の灰皿・小物入れ併用装置９の断面図を示す。灰皿・小物入れ併用装置は、自動車の前後に灰皿・小物入れ一体物７に設置されたレールと、本体３の内面に設置されたレールガイド１５によって移動可能となっており、灰皿２又は小物入れ４のどちらか必要なものを灰皿・小物入れ併用装置９の本体３に位置させ、本体３の蓋１１を開閉することによって、使用できるようにする。さらに、灰皿２が移動するコンソールボックス１の空間で、灰皿２がコンソールボックス１の空間内に移動したときに吸殻の消煙、消火ができるように、灰皿２上部にプレート１３を設けると好ましい。該プレート１３は、鉄製が好ましいが、金属等の難燃性があるものが用いられる。
又、灰皿２使用時には、小物入れ４はコンソールボックス１の空間内に隠れているので、シークレットボックス機能も果たすことができる。
【図面の簡単な説明】
【００１９】
【図１】コンソールボックスを示した概略図である。
【図２】本発明に係る灰皿と小物入れとを一体とした灰皿と小物入れ一体物の概略図である。
【図３】本発明に係る灰皿・小物入れ併用装置の本体を示した概略図である。
【図４】本発明に係る灰皿・小物入れ併用装置の概略断面図である。
【符号の説明】
【００２０】
１    コンソールボックス
２    灰皿
３    本体
４    小物入れ
５    レール
７    灰皿・小物一体物
９    灰皿・小物入れ併用装置
１１    蓋
１３    プレート
１５    レールガイド
【図１】
2006015782.tif 000003
【図２】
2006015782.tif 000004
【図３】
2006015782.tif 000005
【図４】
2006015782.tif 000006